(57)【要約】      （修正有）【課題】ラチェットの途中解除を簡単な構成によって可能にした手動圧着工具を提供する。【解決手段】ピン１を中心に開閉自在な一対の把手２と、把手の閉動作により圧着作用を行う圧着部３と、把手同士を連結し把手の閉状態の途中位置で開動作を抑止するラチェット機構部４を備え、ラチェット機構部は各把手に回動自在に連結したラチェットバー１１とケース部材１３を有する。ケース部材１３はラチェットバー収納部１６と、ラチェットバー１１のラチェット歯に係合可能な爪を有し回動可能な爪部材１８及び爪部材１８をラチェット歯との係合位置に復帰させるリターンスプリングを収納した爪部材収納部１７を有する。ケース部材１３に窓孔２２を設け、窓孔２２に回動具を挿入して爪部材１８を回動させ爪部材１８とラチェット歯との噛み合いを解除可能とする。【選択図】図１
0003155365.tif 000002
【実用新案登録請求の範囲】
【請求項１】
枢支軸を中心に回動自在に連結されている開閉自在な一対の把手と、把手の閉動作により圧着作用を行う圧着部と、一対の把手同士を連結し把手の閉状態の途中位置で把手の開動作を抑止するラチェット機構部とを備え、
前記ラチェット機構部が一方の把手に回動自在に連結されているラチェットバーと、他方の把手に回動自在に連結されているケース部材とを有し、
前記ケース部材がラチェットバーを移動自在に収納したラチェットバー収納部と、ラチェットバーに形成されているラチェット歯に係合可能な爪を有し回動可能な爪部材及び爪部材をラチェット歯との係合位置に復帰させるリターンスプリングを収納した爪部材収納部とを有している手動圧着工具において、
前記ケース部材に窓孔を設け、この窓孔に回動具を挿入して爪部材を回動させることにより爪部材の爪とラチェット歯との噛合いを解除可能としたことを特徴とする手動圧着工具。
【請求項２】
請求項１記載の手動圧着工具であって、窓孔を開閉可能な窓孔カバーをケース部材の外面に有していることを特徴とする手動圧着工具。
【考案の詳細な説明】
【技術分野】
【０００１】
本考案は、ラチェット機構を備えた手動圧着工具の改良に関する。
【背景技術】
【０００２】
従来、この種の手動圧着工具としては、例えば特許文献１に記載されているように、枢支軸に枢支され開閉自在な一対の把手と、把手の夫々先端部に回動自在に枢支されると共に連結板に回動自在に枢支された押圧子とを備え、更に、把手同士を連結するラチェット機構を備えたものがある。
そして、ラチェット機構は、一方の把手に角柱状レバーの一端を枢着し、他方の把手に角柱状レバーを挿通させた角筒状レバーを枢着し、更に、前記角柱状レバーの先端部に鋸歯状のラチェットを設け、角筒状レバーの基部に、前記ラチェットに噛合可能な爪を有する回転体を枢着し、この回転体の一端にバネを係止させ、バネの他端を把手側に固定された支持ピンに係止させる構成となっている。
【０００３】
従って、従来品の場合は、把手を閉じると押圧子同士が協働して閉じ、押圧子の対向面の間に配置された圧着端子等が圧着される。この把手の閉動作の際、回転体の爪はラチェットを滑って係合しないので角柱状レバーは角筒状レバー内を移動し、把手は閉じられる。しかしながら、閉動作の途中で把手を開く場合は、回転体の爪がラチェットと係合するため、角柱状レバーは移動できず、把手を開くことができない。
【０００４】
従って、上記の手動圧着工具において、把手を開く場合は、一旦、把手を、把手の開閉角度が一定限度を超えるまで閉じる。すると、角柱状レバーが角筒状レバー内を移動して回転体の爪が角柱状レバーに形成されている凹陥部に陥入して姿勢を変える。この状態で把手を開けば、角柱状レバーは回転体の爪がラチェットを滑りながら角筒状レバー内を移動して、把手を開くことができる。
【先行技術文献】
【特許文献】
【０００５】
【特許文献１】特開平１１−２７７４５４号公報
【考案の概要】
【考案が解決しようとする課題】
【０００６】
従って、上記従来品の場合は、把手の閉状態の途中位置で把手を開くことができず、把手を開く場合は、一旦、把手を完全に閉じてから開く作業を必要とするため、圧着作業の途中で部品の装着状態に不具合を発見した場合などに適切な対処をすることができない、という問題点を有していた。
【０００７】
本考案は、このような従来技術の問題点に鑑み、提案されたものであり、ラチェットの途中解除を簡単な構成によって可能にした手動圧着工具を提供することを課題とする。
【課題を解決するための手段】
【０００８】
本考案は、上記の課題を解決するために、次のような技術的手段を採る。
即ち、本考案は、図１〜図４等に示されているように、枢支軸１を中心に回動自在に連結されている開閉自在な一対の把手２と、把手２の閉動作により圧着作用を行う圧着部３と、一対の把手２同士を連結し把手２の閉状態の途中位置で把手２の開動作を抑止するラチェット機構部４とを備え、
前記ラチェット機構部４が一方の把手２に回動自在に連結されているラチェットバー１１と、他方の把手２に回動自在に連結されているケース部材１３とを有し、
前記ケース部材１３がラチェットバー１１を移動自在に収納したラチェットバー収納部１６と、ラチェットバー１１に形成されているラチェット歯１４に係合可能な爪２１を有し回動可能な爪部材１８及び爪部材１８をラチェット歯１４との係合位置に復帰させるリターンスプリング１９を収納した爪部材収納部１７とを有している手動圧着工具において、
前記ケース部材１３に窓孔２２を設け、この窓孔２２に回動具を挿入して爪部材１８を回動させることにより爪部材１８の爪２１とラチェット歯１４との噛合いを解除可能としたことを特徴とする（請求項１）。
【０００９】
本考案の場合は、図５〜図７に示されているように、窓孔２２を開閉可能な窓孔カバー２３を前記ケース部材１３の外面に有しているのが好ましい（請求項２）。
【００１０】
このようにすれば、窓孔カバー２３によって窓孔２２からケース部材１３内に異物が入るのを防ぐことができるので、ラチェット歯１４等に異物が付着するのを防止できる。
【考案の効果】
【００１１】
上記本考案の構成によれば、ケース部材に窓孔を設けることで、窓孔に回動具を挿入して爪部材を回動させることにより爪部材の爪とラチェット歯との噛合いを解除可能としたことにより、圧着作業の途中等でもラチェットを解除できる。また、窓孔からラチェットの係合部が見えるため、ラチェット歯の変形等の不具合があった場合等にも容易に発見できる。また、本考案は窓孔を設けるだけなので、構造が簡単で、部品点数が増加せず、プレス金型の修正等も必要としない利点を有している。
【図面の簡単な説明】
【００１２】
【図１】本考案の手動圧着工具の一実施形態を示す正面図である。
【図２】同左側面図である。
【図３】ラチェット係合時のラチェット機構部を示す正面図である。
【図４】ラチェットの係合を外した状態を示す同正面図である。
【図５】窓孔カバーを有するラチェット機構部の一部分で、窓孔が窓孔カバーで覆われた状態を示し、Ａは正面図、Ｂは縦断面図である。
【図６】同ラチェット機構部の一部分で、窓孔が開放され、更にラチェット係合時を示しており、Ａは正面図、Ｂは縦断面図である。
【図７】同ラチェット機構部の一部分で、窓孔が開放され、更にラチェットの係合を外した状態を示しており、Ａは正面図、Ｂは縦断面図である。
【考案を実施するための形態】
【００１３】
以下、本考案の好適な一実施形態を、図１〜図７に従って説明する。
【００１４】
この実施形態に係る本考案の手動圧着工具は、図１、図２等に示されているように、ピン１を中心に回動自在に連結されている開閉自在な一対の把手２と、把手２の閉動作により圧着作用を行う圧着部３と、一対の把手２を連結し把手２の閉状態の途中位置で把手２の開動作を抑止するラチェット機構部４とを備えている。
【００１５】
逆Ｕ字状の本体頭部５の下端部には左右一対のリンク６が固定されて下方に延びており、これらの各リンク６の下部にそれぞれ把手２がピン７で回動自在に連結されている。
【００１６】
圧着部３は本体頭部５内に上下に対向して配置されたクリンパー８とアンビル９を有している。クリンパー８は圧着溝８ａを下面に有し、本体頭部５に固定されている。アンビル９は圧着用突起９ａを上面に有し、下端部が左右一対の把手２を連結しているピン１に連結されている。従って、アンビル９は一対の把手２の開閉動作により上下動し、把手２の閉動作により上昇して圧着用突起９ａがクリンパー８の圧着溝８ａに嵌入することにより、それらの間に配置されたワイヤーの芯線及び被覆と、端子とが圧着される。
【００１７】
ラチェット機構部４は、図１〜図４に示されているように、一方の把手２にピン１０で回動自在に連結されているラチェットバー１１と、他方の把手２にピン１２で回動自在に連結されているケース部材１３とを有している。ラチェットバー１１は角柱状の棒体で、その一面に、複数のラチェット歯１４（図３等参照）と、ラチェット歯１４に隣接して長手方向内側に凹陥部１５を有している。ケース部材１３はラチェットバー収納部１６と爪部材収納部１７とから構成されている。ラチェットバー収納部１６は、ラチェットバー１１を移動自在に収納し、細長い角筒形状に形成されている。爪部材収納部１７は、ラチェットバー収納部１６に隣接して設けられており、爪部材１８とリターンスプリング１９を収納している。爪部材１８はピン２０で爪部材収納部１７に回動自在に支持されており、爪２１がラチェットバー１１に形成されているラチェット歯１４に係合可能とされている。リターンスプリング１９は一端が爪部材収納部１７に固定され、他端が爪部材１８に固定され、爪部材１８の爪２１をラチェット歯１４との係合位置に復帰させる。
【００１８】
爪部材１８とラチェット歯１４との係合部位置のケース部材１３には、ラチェットバー１１の長手方向に沿って長孔状の窓孔２２が形成されている。そして本考案は、この窓孔２２に回動具としての、例えば六角レンチやピンを挿入して爪部材１８を回動させることにより、爪部材１８とラチェット歯１４との噛合いを解除できるように形成されている。
【００１９】
以上の処において、本考案は、ケース部材１３の外面に、図５〜図７に示されているように、窓孔２２を開閉可能な窓孔カバー２３が設けられているのでも良い。窓孔カバー２３はＬ字状の板部材で、一端部がケース部材１３の外面にピン２４で回動可能に支持されている。また、窓孔カバー２３は先端部におけるケース部材１３側の面に小さな突部２５を有しており、この突部２５がケース部材１３の外面に設けられている凹部２６（図６等参照）に嵌入することによって、窓孔カバー２３は窓孔２２を覆う位置に固定される。窓孔２２を開放するときは、窓孔カバー２３を回動させれば、窓孔カバー２３の突部２５がケース部材１３の外面の凹部２６から外れる。従って、窓孔カバー２３を所定角度回動させれば、窓孔２２は開放される。
【００２０】
次に上記手動圧着工具の操作を説明する。
図１の状態から説明すると、先ず、一対の把手２を一度完全に握り締める。すると、ラチェットバー１１が図３において下方向に移動し（以下、前進とする。）、爪部材１８の爪２１がラチェットバー１１の凹陥部１５に入る。この状態から、一対の把手２を開くと、ラチェットバー１１が図３において上方向に移動し（以下、後退とする。）、爪部材１８の爪２１がラチェット歯１４を滑りながらラチェットバー１１の先端を越えて先端から外れる。
【００２１】
この状態で圧着工程に移る。圧着部３にワイヤーの芯線及び被覆と、端子とをセットし、一対の把手２を閉じると、ラチェットバー１１が再び前進し、ラチェットバー１１の先端が爪部材１８を押動して回動させ、爪部材１８の姿勢をラチェット歯１４との係合関係におく。そして、一対の把手２を所定の開閉角度まで閉じれば、アンビル９の圧着用突起９ａがクリンパー８の圧着溝８ａに嵌入することにより、それらの間に配置されたワイヤーの芯線及び被覆と、端子とが圧着される。
【００２２】
上記において、把手２の閉状態の途中位置では、把手２を開こうとしても、爪部材１８の爪２１がラチェットバー１１のラチェット歯１４に係合するため、把手２を開くことができない。
【００２３】
しかしながら、本考案の手動圧着工具においては、ケース部材１３に窓孔２２を形成しているので把手２を開くことが可能である。即ち、把手２の閉状態の途中位置で把手２を開く場合は、先ず、例えば図６に示されているように、窓孔カバー２３を回動して窓孔２２を開放する。この状態で、窓孔２２から六角レンチやピンを挿入して爪部材１８を回動させることにより、爪部材１８の爪２１とラチェットバー１１のラチェット歯１４との係合状態を解除することができる（図７参照）。従って、その状態で、把手２を開くことができる。
【符号の説明】
【００２４】
１  ピン
２  把手
３  圧着部
４  ラチェット機構部
１１  ラチェットバー
１３  ケース部材
１４  ラチェット歯
１８  爪部材
１９  リターンスプリング
２１  爪
２２  窓孔
２３  窓孔カバー
【図１】
0003155365.tif 000003
【図２】
0003155365.tif 000004
【図３】
0003155365.tif 000005
【図４】
0003155365.tif 000006
【図５】
0003155365.tif 000007
【図６】
0003155365.tif 000008
【図７】
0003155365.tif 000009